(57)【特許請求の範囲】
【請求項１】
球受皿側からの遊技球を一列に整列させながら発射通路側に導入する球導入通路と、
前記球導入通路からの遊技球を収納可能な通路長を有し、前記球導入通路および前記発射通路の間で前記球受皿側からの整列した遊技球のうち先頭の遊技球を収納する収納位置と、該先頭の遊技球に隣接する後続の遊技球をせき止めながら前記収納位置で収納した先頭の遊技球を前記発射通路側に解放する解放位置とに移動可能な球切り部材と、
ケースに支持された芯材と、前記球切り部材に一端側で連結された可動片と、前記芯材を取り囲む励磁コイルと、を有する支点型ソレノイドと、
一面が開放された凹形状を有し、前記球切り部材および前記支点型ソレノイドを収納する第１のケース部材と、
前記可動片の一端側を支持する一端部および前記球切り部材に回動可能に連結された他端部を有する回動レバーと、
前記第１のケース部材に固定されて前記回動レバーを回動可能に支持する支点ピンと、
前記球導入通路の下流端の開口部を形成するよう、前記球受皿を支持する球受皿パネル又は該球受皿パネルを開閉可能に支持するフロントパネルの一部に設けられ、前記第１のケース部材の開放端を閉塞した状態で前記第１のケース部材を位置決め保持する第２のケース部材と、
前記第１のケース部材に設けられ、前記球切り部材が前記収納位置にあるとき前記先頭の遊技球が前記発射通路側に移動するのを規制する規制部材と、を備え、
前記第２のケース部材に、前記支点ピンの先端部を位置決め保持する第１の位置決め部と、前記支点ピンと共に前記第１のケース部材の前記支点ピン回りの回動位置を規定して、前記球導入通路に対し前記規制部材および前記球切り部材を位置決めする第２の位置決め部と、前記支点ピンの軸方向における前記回動レバーの位置を規定する第３の位置決め部と、を設け、
前記支点型ソレノイドの可動片の他端側で前記ケースから可動片に向って突出する突起部を設け、該突起部により前記支点型ソレノイドの励磁状態における前記可動片の吸引位置を規定するようにしたことを特徴とする弾球遊技機の球送り装置。
【請求項２】
前記突起部を前記ケースに一体に形成したことを特徴とする請求項１に記載の弾球遊技機の球送り装置。
【請求項３】
前記支点ピンがインサート成形により前記第１のケース部材に固定された基端部を有することを特徴とする請求項１又は２に記載の弾球遊技機の球送り装置。
【発明の詳細な説明】
【０００１】
【発明の属する技術分野】
本発明は、弾球遊技機の球送り装置に係り、特に球受皿から導入した遊技球を１個ずつせき止め、発射通路に送り込む球送り装置に関する。
【０００２】
【従来の技術】
従来、パチンコ機に代表される弾球遊技機においては、球受皿から機内の発射位置に遊技球を供給するために球送り装置が設けられており、球送り装置は、球受皿からの遊技球を一列に整列させ、その列の先端において１個ずつ発射通路に送り込みながら、後続の遊技球をせき止めておくようになっている。
【０００３】
この種の球送り装置においては、球受皿から発射レールへの遊技球の導入通路を遊技球の整列通路や発射通路に対して正確に位置決めするとともに、可動のせき止め部材をその導入通路内への突出位置に正確に位置決めする必要があるので、通常、球受皿と発射レールとの間に、整列した遊技球の発射位置への導入通路を形成するケースを設け、このケース内で導入通路の底壁の一部を構成する可動のせき部材を導入通路内に出没させることにより、上述のような遊技球のせき止めおよび送り込みを行うようになされている。
【０００４】
また、前記可動のせき部材の駆動は、回動支点を中心に回動する可動鉄片を、ソレノイドコイルおよび鉄心により吸引し駆動する支点型ソレノイドでなされるようになっており、その可動鉄片とソレノイド鉄心の間に励磁吸引時における適当なギャップを設定することで、可動鉄片の着磁による動作不良（非励磁状態での復帰不良）を未然に防止するようになっている。また、前記ギャップは、例えばソレノイドコイルおよび鉄心を支持するケースに絶縁フィルムを貼り、このケースと前記可動鉄片との対向面間に絶縁フィルムを介在させることにより、確保されていた。
【０００５】
【発明が解決しようとする課題】
しかしながら、上記従来の弾球遊技機の球送り装置にあっては、ソレノイドのケースと可動鉄片との間に絶縁フィルムを介在させる構成であったため、絶縁フィルムが必要なために部品点数が増えるばかりでなく、絶縁フィルムをケースに貼り付ける手間がかかっていた。
【０００６】
しかも、せき部材および可動鉄片の回動支点をケースに片持ち支持させていたため、支持剛性が十分でなく、通路方向におけるせき部材の位置が変化したりばらついたりし易いという問題もあった。
【０００７】
そこで本発明は、球送り装置における部品点数および組立工数の削減を図るとともに、球送りをなす部材の位置精度の向上を図ることを目的とするものである。
【０００８】
【課題を解決するための手段】
上記課題を解決するため、本発明は、球受皿側からの遊技球を一列に整列させながら発射通路側に導入する球導入通路と、前記球導入通路からの遊技球を収納可能な通路長を有し、前記球導入通路および前記発射通路の間で前記球受皿側からの整列した遊技球のうち先頭の遊技球を収納する収納位置と、該先頭の遊技球に隣接する後続の遊技球をせき止めながら前記収納位置で収納した先頭の遊技球を前記発射通路側に解放する解放位置とに移動可能な球切り部材と、ケースに支持された芯材と、前記球切り部材に一端側で連結された可動片と、前記芯材を取り囲む励磁コイルと、を有する支点型ソレノイドと、一面が開放された凹形状を有し、前記球切り部材および前記支点型ソレノイドを収納する第１のケース部材と、前記可動片の一端側を支持する一端部および前記球切り部材に回動可能に連結された他端部を有する回動レバーと、前記第１のケース部材に固定されて前記回動レバーを回動可能に支持する支点ピンと、前記球導入通路の下流端の開口部を形成するよう、前記球受皿を支持する球受皿パネル又は該球受皿パネルを開閉可能に支持するフロントパネルの一部に設けられ、前記第１のケース部材の開放端を閉塞した状態で前記第１のケース部材を位置決め保持する第２のケース部材と、前記第１のケース部材に設けられ、前記球切り部材が前記収納位置にあるとき前記先頭の遊技球が前記発射通路側に移動するのを規制する規制部材と、を備え、前記第２のケース部材に、前記支点ピンの先端部を位置決め保持する第１の位置決め部と、前記支点ピンと共に前記第１のケース部材の前記支点ピン回りの回動位置を規定して、前記球導入通路に対し前記規制部材および前記球切り部材を位置決めする第２の位置決め部と、前記支点ピンの軸方向における前記回動レバーの位置を規定する第３の位置決め部と、を設け、前記支点型ソレノイドの可動片の他端側で前記ケースから可動片に向って突出する突起部を設け、該突起部により前記支点型ソレノイドの励磁状態における前記可動片の吸引位置を規定するようにしたことを特徴とする。
【０００９】
この発明の遊技機の球送り装置では、ケースから可動片に向って突出する突起部により支点型ソレノイドの励磁状態における可動片の吸引位置が規定されるから、絶縁フィルム等を用いることなく所要のギャップが確保され、部品点数および組立工数が削減可能となる。
【００１１】
また、第１の位置決め部で支点ピンの先端部が位置決め保持された状態で、その支点ピンおよび第２の位置決め部によって第１のケース部材の支点ピン回りの回動位置が規定され、球導入通路に対する規制部材および球切り部材の位置決めがされる。また、第３の位置決め部により支点ピンの軸方向における回動レバーの位置が規定される。したがって、支点ピンが両持ち支持されて球送りをなす部材の支持剛性が十分確保され、導入通路方向におけるその部材の位置が変化したりばらついたりし難くなる。
【００１２】
また、この球送り装置では、前記支点ピンがインサート成形により第１のケース部材に固定された基端部を有するのが好ましく、この場合、支点ピンの第１のケース部材への組み込みの工数を削減しながらも、その取付け位置精度を容易に確保することができる。
【００１３】
したがって、本発明の球送り装置は、発射レール上の所定位置に遊技球を正確に供給できる。例えば図４に示すように、発射台に複数の遊技球が貯まることがないように発射レール３１の長さを球1個分の長さにしても、発射レール上に確実に球を連続して供給することができる。
【００１６】
【発明の実施の形態】
以下、本発明の好ましい実施形態を図面に基づいて説明する。
図１は本発明の一実施形態に係る弾球遊技機の球送り装置を示す図であり、本発明をパチンコ遊技機に適用した例を示している。
【００１７】
図１〜図３に示すパチンコ遊技機１０は、外枠１００に支持されたベース枠体１１（機枠）と、このベース枠体１１の前面上部に開閉可能に設けられた窓扉１２と、ベース枠体１１の前面側に配置された遊技盤１３とを備えている。ベース枠体１１は、図１中の左端側でヒンジ機構１１５Ａ、１１５Ｂを介して外枠１００に前後に開閉可能に支持されており、通常は閉じている。
【００１８】
窓扉１２は、遊技盤１３の遊技領域１３ａに対応する開口窓１２ａを形成したもので、ベース枠体１１に対し前後の開閉ができるよう図示しないヒンジ機構を介してベース枠体１１に回動可能に支持されている。この窓扉１２には、複数の発光素子群を内蔵した電飾表示部１２１、１２２が設けられている。また、窓扉１２はロック機構１２３によってベース枠体１１に対し閉止位置でロックされ、更にベース枠体１１と共に閉止状態で外枠１００にロックされるようになっている。
【００１９】
窓扉１２の下方には、上側球受皿１５が設けられており、その上側球受皿１５の下方側には、下側球受皿１６と、遊技者によって回動操作される操作ハンドル１７とが、それぞれ設けられている。上側球受皿１５はベース枠体１１に開閉可能に支持された上皿パネル１５０の一部として構成されている。１８は、上側球受皿１５の球抜き操作を行うための球抜操作レバーであり、球抜操作レバー１８を図中で左側に移動させる球抜き操作によって上側球受皿１５から下側球受皿１６に遊技球が流下・排出できるようになっている。１９は灰皿である。
【００２０】
遊技盤１３の前面側には、図１および図３に示すように、発射通路２２から発射球が発射される遊技領域１３ａが形成されており、その遊技領域１３ａは、始動入賞口２３とワープルート付の図柄表示装置７０とを略中央に配し、その上方に普通図柄表示装置（符号なし）が、その下方に大入賞口２６および通過ゲート２７をそれぞれ配した構成となっている。また、始動入賞口２３の左右には一般入賞口２４Ａ、２４Ｂ、２５Ａ、２５Ｂが、図柄表示装置７０の左右には風車２８Ａ、２８Ｂ（遊技球の流下方向を変化させる回転自在な障害物）がそれぞれ配設されている。そして、これら役物類を取り囲む円環状に、複数のＬＥＤ等の発光素子を内設した遊技演出用ランプ２９Ａ、２９Ｂ、２９Ｃ等が設けられ、周方向にブロック分けされたその複数のＬＥＤ群が順次選択的に又は同時に点灯するよう点灯制御されるようになっている。この遊技盤１３は、ベース枠体１１の前面側で上下のヒンジピン部（図示していない）を介して前後開閉方向に回動可能に支持されている。また、遊技盤１３の下方側に位置するベース枠体１１の下部前面側には、遊技盤１３の下方に位置する発射レール３１を介して発射通路２２に遊技球を発射する発射装置３０が配設されている。発射レール３１は発射装置３０の発射台となるもので、その長さは遊技球1個の直径程度に設定されており、発射台としての発射レール３１上に２個又はそれ以上（複数個）の遊技球が貯まることがないようにされている。
【００２１】
このパチンコ遊技機１０においては、側方に隣接配置された球貸し機１のカード挿入口１ａに度数カードである所定のプリペイドカードが挿入され（勿論、現金投入でもよい）、上側球受皿１５の正面で後述する貸し球の貸出し操作がされたとき、貸し球が払出し口４９から上側球受皿１５に貸し出される一方、遊技者によるハンドル１７の操作量に応じて、上側球受皿１５の裏側で公知の発射装置３０（詳細は図示していない）が作動し、遊技領域内に遊技球を発射する。そして、例えば始動入賞口２３、一般入賞口２４Ａ、２４Ｂ、２５Ａ、２５Ｂ、大入賞口２６のうちいずれかに遊技球が入ると、払出し口４９から上側球受皿１５への遊技球の払出しが行われる。また、遊技球が通過ゲート２７を通過すると、図示しない普通図柄表示用ＬＥＤの２色交互点灯による普通図柄変動表示を実行する前記普通図柄表示装置が作動し、その変動が所定の停止態様で停止すれば始動入賞口２３のチューリップが開く。また、始動入賞口２３に遊技球が入賞すると、図柄表示装置７０で特別図柄の変動表示ゲームが実行され、その結果（停止態様）に応じて大入賞口２６の開閉扉が前後方向に開閉するようになっている。
また、図３〜図５に示すように、上皿パネル１５０の背面板１５１と上皿形成部材１５２との間には、上側球受皿側１５の左右一端側で遊技球を一列に整列させる整列通路１５３と、上側球受皿１５側から機内への球導入通路１５４とが形成されており、その球導入通路１５４の下流端近傍の上皿パネル１５０の裏面側には、上側球受皿１５から発射装置３０に遊技球を供給する球送り装置２００が装着されている。
【００２２】
この球送り装置２００は、上皿パネル１５０の背面板１５１に対向する一面が開放された凹形状を有し一対の取付けねじ２０９により背面板１５１に締結固定された第１のケース部材２０１と、第１のケース部材２０１にインサート成形により一体的に装着され前後方向に延びる円柱状の支点ピン２０２と、背面板１５１の裏側で第１のケース部材２０１に収納された可動の球切りスライダー２０５（球切り部材）と、背面板１５１の通路穴１５１ａの近傍部分であって第１のケース部材２０１に対向する部分からなる第２のケース部材２０６（図３および図６参照）と、を具備している。
【００２３】
ここで、第１のケース部材２０１にはその凹形状の底壁部分に発射装置３０の発射レール３１に近接する略正方形の通路穴２０１ａが形成されており、球切りスライダー２０５には通路穴２０１ａに対応する通路断面形状および所定の通路長Ｌ1を有する通路穴２０５ａが形成されている。これら通路穴２０１ａおよび２０５ａは背面板１５１の通路穴１５１ａと共に上側球受皿側１５からの遊技球Ｂを発射レール３１側に導入する球送り通路２０３を形成するようになっている。
【００２４】
球送り装置２００は、さらに、図５に示すように、鉄心２１３（芯材）および可動鉄片２１４（可動片）を有する磁気回路にその鉄心２１３を取り囲むボビンケース付きのソレノイドコイル２１５を付設し、更にそのソレノイドコイル２１５を第１のケース部材２０１に一体成形されたプラスチック製の支持ケース２１１に支持させた支点型ソレノイド２１６を具備している。この支点型ソレノイド２１６は、第１のケース部材２０１内に配置された状態で、球切りスライダー２０５を通路２０３と略直交する方向に移動させるようになっている。ここで、可動鉄片２１４は、球切りスライダー２０５に連結された回動レバー２１７に固着され、この回動レバー２１７と共に、基端側で支点ピン２０２により第1のケース部材２０１に支持された支点型ソレノイド２１６の回動部分を構成している。そして、球切りスライダー２０５は、回動レバー２１７を介して支点型ソレノイド２１６に駆動されることにより、球導入通路１５４および発射レール３１の間で、上側球受皿側１５の整列通路部１５３からの一列に整列された遊技球Ｂのうち先頭の１個の遊技球Ｂ1を収納する収納位置Ｐ1（図１４（ｂ）に示す位置）と、その先頭の遊技球に隣接する後続の遊技球Ｂ2をせき止めながら前記収納した先頭の遊技球Ｂ1を発射通路側に解放する解放位置Ｐ2（図３、図１４（ａ）に示す位置）とに、移動可能になっている。
【００２５】
また、第１のケース部材２０１の通路穴２０１ａの上方には、球切りスライダー２０５が収納位置にあるとき先頭の遊技球Ｂ1が発射レール３１（発射通路２２）側に移動するのを規制するひさし状突起部２０７（規制部材）が一体形成されている（図７参照）。
【００２６】
また、図３および図６に示すように、背面板１５１には第１のケース部材２０１を位置決めするための一対の位置決め穴部１５１ｂ、１５１ｃが設けられており、位置決め穴部１５１ｂには第１のケース部材２０１に形成された位置決め用突起部２０１ｂが、位置決め穴部１５１ｃには支点ピン２０２の先端が、それぞれ嵌入されて位置決め保持されている。
【００２７】
これら位置決め用突起部２０１ｂと支点ピン２０２は略長方形の第１のケース部材２０１の対角線上に互いに離間するよう配置されており、第２のケース部材２０６によって位置決め保持している。すなわち、第２のケース部材２０６には、支点ピン２０２の先端部を位置決め保持する第１の位置決め部１５１ｃと、支点ピン２０２と共に第１のケース部材２０１の支点ピン２０２回りの回動位置を規定する第２の位置決め部１５１ｂと、支点ピン２０２の軸方向における回動レバー２１７の位置を規定する第３の位置決め部１５１ｄとがそれぞれ設けられている。
【００２８】
ところで、第１のケース部材２０１に一体成形されてソレノイドコイル２１５を支持する支持ケース２１１には、可動鉄片２１４の回動端側に向って突出する突起部２１１ｐが設けられており、この実施形態においては、突起部２１１ｐが例えば湾曲凸面を持つ所定長さの突条として支点ピン２０２と平行に設けられている。そして、支点型ソレノイド２１６のソレノイドコイル２１５が励磁された状態における可動鉄片２１４の吸引位置、すなわち、鉄心２１３に対する可動鉄片２１４の所要のギャップｇ（間隙）が、この突起部２１１ｐによって規定されるようになっている。本実施形態では、図９（ａ）および図９（ｂ）に示すように、支持ケース２１１に一体に形成された突起部２１１ｐの先端とその裏側の支持ケース２１１の内面との間の寸法ｈ、あるいは、支持ケース２１１の内底面から突起部２１１ｐの先端までの高さが所要の精度に確保されている。さらに、前記寸法ｈ方向において、この突起部２１１ｐとインサート成形により支持ケース２１１に固定された支点ピン２０２の中心との距離が、寸法ｈと同程度の高寸法精度に設定されている。
【００２９】
図６において、第３の位置決め部１５１ｄは、背面板１５１に一体成形され、第１のケース部材２０１の内壁面との間で回動レバー２１７の支軸方向の一端面に対向する環状の受け面部となっている。そして、回動レバー２１７はこの受け面部としての第３の位置決め部（以下、受け面部ともいう）１５１ｄにより支点ピン２０２の軸方向一方側から移動を規制されるとともに、軸方向他方側からは第１のケース部材２０１の内壁面によって移動を規制され、球送り通路２０３の通路方向で位置決めされている。また、図５および図６において、２０４は支点ピン２０２の先端部の溝に係止されたＥリング（抜け止めリング）であり、このＥリング２０４は第１のケース部材２０１の環状の受け面部１５１ｄと位置決め穴部１５１ｃとの間に形成された段付き穴部１５１ｅに収納されている。
【００３０】
また、図５および図７において、２０１ｃ、２０１ｄはそれぞれ取付けねじ２０９を通す穴であり、２０１ｅは支点型ソレノイド２１６のソレノイドコイル２１５に接続されたリード線（図示していない）を着脱可能に保持するための略Ｕ字形の保持溝部、２０１ｆは支点型ソレノイド２１６の前記リード線を第１のケース部材２０１内に案内する複数のフック部、２０１ｇは球切りスライダー２０５の両側面に設けられた突条２０５ｃ、２０５ｄをそれぞれガイドする左右のガイド部である。
【００３１】
次に作用について説明する。
上述の遊技機１０の球送り装置２００では、支持ケース２１１から可動鉄片２１４に向って突出する突起部２１１ｐにより支点型ソレノイド２１６の励磁状態における可動鉄片２１４の吸引位置が規定されるから、絶縁フィルム等を用いることなく所要のギャップｇ（図９参照）が確保され、部品点数および組立工数が削減可能となる。
【００３２】
また、第１の位置決め部１５１ｃで支点ピン２０２の先端部が位置決め保持された状態において、その支点ピン２０２および第２の位置決め部１５１ｂによって第１のケース部材２０１の支点ピン２０２回りの回動位置が規定され、球送り通路２０３に対する規制部材２０７および球切りスライダー２０５の位置決めがされる。更にまた、第３の位置決め部１５１ｄにより支点ピン２０２の軸方向における回動レバー２１７の位置が規定される。したがって、支点ピン２０２が所定位置で両持ち支持され、回動レバー２１７の支持剛性が確保されることにより球切りスライダー２０５の操作精度が確保され、球送り通路２０３の通路方向における球切りスライダー２０５の位置が変化したりばらついたりし難くなる。
【００３３】
また、この球送り装置２００では、支点ピン２０２がインサート成形により第１のケース部材２０１に固定された基端部を有しているので、支点ピン２０２の第１のケース部材２０１への組み込みの工数を削減しながらも、その取付け位置精度を容易に確保することができる。
【００３４】
したがって、発射台である発射レール３１の長さを上述のように遊技球の直径程度の長さにした場合であっても、発射レール３１上に確実に遊技球を供給することができる。
【００３５】
さらに、支点型ソレノイド２１６においては、支持ケース２１１から可動鉄片に向って突出する突起部２１１ｐにより、ソレノイドコイル２１５の励磁状態における可動鉄片２１４の吸引位置を規定するようになっているので、第１のケース部材２０１の成形（例えば射出成形）のみで、従来のように絶縁フィルム等を用いることなく、突起部付のケースや可動板を有しない市販のソレノイド部品をそのまま使用しながらも所要のギャップｇが容易に確保でき、部品点数および組立工数の削減を図ることができる。
【００３６】
なお、上述の実施形態においては、パチンコ遊技機を例に説明したが、本発明は支点型ソレノイドを内蔵した球送り装置を備えている他の弾球遊技機にも適用することができる。さらに、上述の実施形態における支点型ソレノイド２１６は、可動鉄片２１４がソレノイドコイル２１５の支持ケース２１１でなく第1のケース部材２０１に固着された支点ピン２０２によって回動可能に支持されたものであったが、支持ケース２１１自体に磁性体からなる可動片を回動可能に支持させたものであってもよく、支持ケース２１１は必ずしも第1のケース部材２０１と一体部品でなくともよいことはいうまでもない。
【００３７】
さらに、上述した可動鉄片は磁力により駆動可能な磁性体からなる他の可動片であってもよく、材料が鉄等の金属に限定されるものではない。また、同様に鉄心についても、発生磁力を高めるのに適した材料であれば、特に限定されるものでないことは勿論である。
【００３８】
【発明の効果】
本発明によれば、球送り装置における部品点数および組立工数の削減を図ることができ、さらに、球送りをなす部材の操作位置精度の向上を図って、発射球を安定発射することのできる弾球遊技機を提供することができる。
【図面の簡単な説明】
【図１】本発明の一実施形態に係る遊技機の正面側の外観斜視図である。
【図２】一実施形態の遊技機の窓扉を開いた状態の正面図である。
【図３】一実施形態の遊技機の球送り装置を装着した上皿パネルの側面断面図である。
【図４】一実施形態の遊技機の発射装置付近を示す部分平面断面図である。
【図５】一実施形態の球送り装置における第１のケース部材の内部の構成を示すその半製品組立て状態の正面図である。
【図６】一実施形態の球送り装置における第１のケース部材の内部の構成を示すその半製品組立て状態の平面断面図である。
【図７】一実施形態の球送り装置における第１のケース部材の正面図である。
【図８】一実施形態の球送り装置における球切りスライダーを示す図で、（ａ）はその正面図、（ｂ）はその側面断面図である。
【図９】一実施形態の球送り装置における支点型ソレノイドの可動鉄片の位置決め用突起部を示すその要部拡大正面図で、（ａ）はそのソレノイドの励磁状態を、（ｂ）はそのソレノイドの非励磁状態を示している。
【図１０】一実施形態の球送り装置における球切りスライダーの球送り時の上皿パネルの側面断面図である。
【図１１】一実施形態の球送り装置における第１のケース部材の部分構成を示す図で、（ａ）はそのケース支持部の正面図、（ｂ）は（ａ）における突起部の拡大図である。
【図１２】一実施形態の球送り装置における第１のケース部材を示す図で、（ａ）は裏面図、（ｂ）は側面図である。
【図１３】一実施形態の球送り装置における第１のケース部材の側面断面図である。
【図１４】一実施形態の球送り装置による球保持持動作の説明図である。
【符号の説明】
１０    パチンコ遊技機
３０    発射装置
３１    発射レール（発射通路）
１５０    上皿パネル
１５１    背面板
１５１ａ、２０１ａ    通路穴
１５１ｂ    位置決め穴部（第２の位置決め部）
１５１ｃ    位置決め穴部（第１の位置決め部）
１５１ｄ    環状の受け面部（第３の位置決め部）
１５３    整列通路
１５４    球導入通路
２００    球送り装置
２０１    第１のケース部材
２０１ｂ    位置決め用突起部
２０２    支点ピン
２０３    球送り通路
２０５    球切りスライダー（球切り部材）
２０６    第２のケース部材
２０７    ひさし状突起部（規制部材）
２１１    支持ケース（ケース）
２１１ｐ    突起部
２１４    可動鉄片（可動片）
２１５    ソレノイドコイル（励磁コイル）
２１６    支点型ソレノイド
２１７    回動レバー
【図１】
0004429486.tif 000002
【図２】
0004429486.tif 000003
【図３】
0004429486.tif 000004
【図４】
0004429486.tif 000005
【図５】
0004429486.tif 000006
【図６】
0004429486.tif 000007
【図７】
0004429486.tif 000008
【図８】
0004429486.tif 000009
【図９】
0004429486.tif 000010
【図１０】
0004429486.tif 000011
【図１１】
0004429486.tif 000012
【図１２】
0004429486.tif 000013
【図１３】
0004429486.tif 000014
【図１４】
0004429486.tif 000015